(57)【要約】      （修正有）【課題】名刺帳と記録ノートの機能を合わせ持ち、使用が便利な記録ノートを提供する。【解決手段】所定の枚数の記録用紙を含み、それぞれの記録用紙の記録エリア２と対応するように、一つまたは二つの名刺固定構造が設けられている。名刺固定構造として、名刺差込口を有した名刺差込ホルダー３を有する。【選択図】図１
0003184907.tif 000002
【実用新案登録請求の範囲】
【請求項１】
所定の枚数の記録用紙を含む記録ノートであって、
それぞれの記録用紙の記録エリアに対応して、一つまたは二つの名刺固定構造が設けられていることを特徴とする、記録ノート。
【請求項２】
上記名刺固定構造は、名刺の対角を位置固定し且つ挟持するための斜めの切り込みであることを特徴とする、請求項１に記載の記録ノート。
【請求項３】
上記名刺固定構造は、記録用紙上に形成される、名刺の上下の縁を位置固定し且つ挟持するための舌片であることを特徴とする、請求項１に記載の記録ノート。
【請求項４】
上記舌片は、記録用紙上の曲線の切り込みが拘束する記録用紙部分によって形成されることを特徴とする、請求項３に記載の記録ノート。
【請求項５】
上記名刺固定構造は、名刺差込ホルダーであることを特徴とする、請求項１に記載の記録ノート。
【請求項６】
それぞれの記録用紙は一つの記録エリアを有し、且つその正面には上記名刺固定構造が設けられていることを特徴とする、請求項１〜５のいずれか一項に記載の記録ノート。
【請求項７】
すべての記録用紙はグループ分けされ、グループ内の名刺固定構造は互いに位置がずれるように設置されることを特徴とする、請求項１〜５のいずれか一項に記載の記録ノート。
【請求項８】
記録用紙数が２０ページまたは２０ページより少ない場合、すべての記録用紙は同じグループに属し、逆に、記録用紙数が２０ページより多い場合、１０〜２０ページを一つのグループとし、グループ間の同じページ数上の名刺固定構造の、該ページ記録用紙上における位置は一致していることを特徴とする、請求項７に記載の記録ノート。
【請求項９】
位置がずれるよう設置されている四つの位置は、それぞれページの四つの角であることを特徴とする、請求項７に記載の記録ノート。
【請求項１０】
上記記録用紙は、ルーズリーフであることを特徴とする、請求項１〜５のいずれか一項に記載の記録ノート。
【考案の詳細な説明】
【技術分野】
【０００１】
本実用新案は記録ノートに係るものである。
【背景技術】
【０００２】
従来、公知の名刺帳は名刺を収集するという単一の機能のみを有し、記録ノートも記録という単一の機能のみを有する。同時に知るべきことは、国内外の展示会において、一般的に、出展者は大量の訪問客の名刺を受け取ることになる。正確に訪問客のニーズ、希望等の情報を記録し、事後に混乱することを防ぐために、出展者は訪問客の名刺を受け取った後に、よく訪問者の名刺をそれぞれ、訪問者の情報を記録した記録ノート上の対応するページの上部の縁にホッチキスで止め、展示会後の分析に供する。
【０００３】
しかし、名刺はクライアントの顔であり、クライアントの名刺を破損及び汚損することは、間違いなく礼儀のない行為であり、訪問者の名刺上にホッチキスの針を打つことは、クライアントの名刺を傷つけることになり、間違ってクライアントの名前の上にホッチキスの針を打つことは、さらに礼儀に欠け、慎むべき行為である。同時に、複数の名刺を記録ノート内の各ページの上部の縁、またはその他に位置に止めることで、記録ノートを厚くしてしまい、閲覧及び携帯に不便であり、壊れやすく、事後での整理も不便である。
【０００４】
上記方式はクライアント情報と名刺とを一緒にする際の常軌的な方法であり、一部の応用において、一緒にするとのデザインコンセプトに基づいて、特定の名刺ケースを提案し、名刺の差し込みホルダーのスペースを拡大する。これにより、クライアント情報を記録したメモ用紙と名刺を共に、対応の差し込みホルダーに保存する。この方法は、効果的に名刺の破損の問題を回避できるが、しかしクライアントとの商談において、メモ用紙でクライアント情報を記録するのは、同じく相手を尊重しない行為であり、  特に対応の差し込みホルダーに入れるために、メモ用紙を折りたたむ必要があり、事後での整理が不便なだけでなく、臨時に折りたたむ場合のメモ用紙の体積は比較的大きく、比較的大きな空間を占めるため、名刺ケースのデザインは比較的困難になる。
【考案の概要】
【考案が解決しようとする課題】
【０００５】
上記に鑑みて、本実用新案の目的は、専用の記録ノートを提供しすることであり、該記録ノートは、名刺帳と記録ノートの機能を併せ持ち、使用が便利である。
【課題を解決するための手段】
【０００６】
本実用新案が用いる技術構成は以下である。
【０００７】
所定の枚数の記録用紙を含む記録ノートであって、それぞれの記録用紙の記録エリアに対応して、一つまたは二つの名刺固定構造が設けられている、記録ノート。
【０００８】
上記構造からわかるように、本実用新案の記録ノートは、記録用紙上に名刺固定構造が設置されている。これにより、記録用紙の記録エリアは、クライアントの情報の記録に用いることができ、名刺固定構造は、クライアント名刺を差し込むのに用いることができ、記録ノートと名刺帳の機能を併せ持つ。これにより、名刺を損傷することなく、記録ノートと名刺とが共存することで、記録の妨げになり過ぎることもない。
【０００９】
さらに改良した案において、比較的好ましい実施例示において、  上記名刺固定構造は、名刺の対角を位置固定し且つ挟持するための斜めの切り込みである。
【００１０】
他の好ましい実施例において、上記名刺固定構造は、記録用紙上に形成され、名刺の上下の縁を位置固定し且つ挟持するための舌片である。
【００１１】
好ましくは、上記舌片は、記録用紙上のカーブ状の切り込みが拘束する記録用紙部分によって形成される。
【００１２】
他の好ましい実施例中において、上記名刺固定構造は名刺差込ホルダーである。
【００１３】
上記記録ノートは、好ましくは、そのぞれの記録用紙は一つの記録エリアを有し、且つその正面には、一つの上記名刺固定構造が設けられている。
【００１４】
比較的好ましい実施例において、上記記録用紙はグループ分けされ、グループ内の名刺固定構造は互いに位置がずれるように設けられている。
【００１５】
さらに、  記録用紙数が２０ページまたは２０ページより少ない場合、すべての記録用紙は同じグループに属し、逆に、記録用紙数が２０ページより多い場合、１０〜２０ページを一つのグループとし、グループ間の同じページ数上の名刺固定構造の、該ページ記録用紙上における位置は一致している。
【００１６】
いくつかの実施例中において、名刺差込口が設けられている位置は四つあり、それぞれページの四つの角である。
【００１７】
比較的好ましい実施例に基づいて、上記記録ノートは、好ましくは、上記録用紙はルーズリーフである。
【考案の効果】
【００１８】
本実用新案は、専用の記録ノートを提供し、該記録ノートは、名刺帳と記録ノートの機能を併せ持ち、使用が便利である。
【図面の簡単な説明】
【００１９】
【図１】図１は本実用新案の一つの実施例のルーズリーフ記録用紙の構造模式図である。
【図２】図２は本実用新案のもう一つの実施例のルーズリーフ記録用紙の構造模式図である。
【考案を実施するための形態】
【００２０】
以下のように理解すべきである。記録用紙は本明細書中において紙と理解すべきであり、一つのページというわけではない。片面印刷でも、両面印刷でも良い。片面で一つの記録エリアを構成しても良く、両面全体で一つの記録エリアを構成しても良い。同時に注意すべきは、片面に複数の記録エリアが存在してもよいとこれに基づいて理解すべきである。尊重及び整理が便利の点から考えれば、最も好ましくは、片面または両面で一つの記録エリアを構成する方式である。
【００２１】
そうであれば、本実用新案に基づいて、一つの記録ノートは、それぞれの記録用紙の記録ユニットに対応して、一つまたは二つの名刺固定構造が設けられている。
【００２２】
以下のように理解すべきである。名刺固定構造自体はその他の付加となる固定部材を必要とせず、例えばホッチキスの針を必要とせず、自己で嵌め込むこと、または挟持することによって固定を実現する。
【００２３】
以下のように理解すべきである。記録ノート上には、通常、クライアント名を索引とするエリアが印刷され、一つのクライアントについて記録するものを、一つの記録エリアとし、当業者はこれについて容易に理解できる。名刺固定構造は、記録ユニットの個数に対応して配置することができ、または記録エリアの個数に制限される。上記に言及された一つまたは二つは、以下の内容において、より具体的な適用性を有するものとして現れる。
【００２４】
以下のように理解すべきである。記録用紙の枚数は、名刺帳及び記録ノートの機能を併せ持つ記録ノートの基礎的な機能において顕著な影響を有しない。
【００２５】
以下のように理解すべきである。表紙、タイトルページを有するかは、基礎的機能の実現に対し顕著な影響を有しない。
【００２６】
以下のように理解すべきである。記録ノートは通常、クライアントに対する尊重、または自分の整理が便利との考えに基づいて、通常は、一枚の記録用紙に、一つまたは二つの記録エリアを有し、より多くの応用において、一つの記録エリアを有する。
【００２７】
上記構造において、予め保留した記録エリア２は、出展者が忙しい展示会中において、より便利に速やかにクライアントの情報を記録でき、それからクライアントの名刺を対応する名刺固定構造中に収録し、携帯が便利であり、破損しにくく、事後の整理、分類及び収納に利便性を提供するものである。
【００２８】
公知なのは、名刺の面積は通常記録ノートのページ面積よりもずっと小さく、よって、その存在は記録ノートに対し顕著な影響を有しなく、特に記録ノートの記録エリア２の予め保留した空間は比較的余裕があり、それ自身も比較的大きな空間上の浪費が存在する。ここにおいて、名刺固定構造の配置も、合理的な空間利用が可能である。
【００２９】
名刺に対応する記録エリア２には、選択可能に具体的に欄名を印刷できる。
【００３０】
１、クライアントの国籍、性別、来訪日時
２、クライアントの個人情報チェック欄、例えばおおよその年齢、背の高さ、体型、その他の特徴など、事後に便利に思い出せるようにするためである。
３、クライアントのタイプのチェック欄、末端クライアントまたは中売り業者であるか、
４、クライアント情報欄、クライアントの情報を記載する箇所、例えばクライアントはＮ店舗のフランチャイズ店舗を有するかなど、
５、クライアント希望欄、クライアントの自社商品に対する評価、クライアントの具体的な要望とニーズ、
６、クライアント分類評価チェック欄、A/B/C/D、このように大まかにこのクライアントがＡタイプクライアント、またはＢタイプクライアントであるかなどについて判断する、
７、記録者氏名欄
８、クライアント氏名、会社名、連絡先、展示会後の整理時に補充できる。
【００３１】
上記構造に基づいて、出展者がクライアントの名刺を受け取った際、迅速に名刺を対応ページの名刺固定構造に差し込むことができ、対応のクライアント情報を記録でき、ターゲットクライアント、クライアントが提供するビジネス情報と、それが提供する名刺を一対一で対応できるため、混乱を招くことを避けられる。
【００３２】
いくつかの実施例中において、一つの記録用紙の両面にそれぞれ一枚の名刺を差し込み、比較的大きなサイズの記録用紙に適用され、例えばＡ５以上またはＢ６以上の紙タイプのものに適用できる。
【００３３】
記録ユニットは前記のように、名刺固定機構の数を制限する。逆に、名刺固定構造の数は、記録ユニットの数を制限し、ここにおいて、記録ユニットに対し記載する場合、名刺固定構造に対する制限と理解できる。
【００３４】
いくつかの実施例中において、図２に示すように、上記名刺固定構造は、名刺の対角を位置固定し且つ挟持するための斜めの切込みを有し、図２に示すような名刺差込口４を構成する。以下のように理解すべきである。名刺は典型的な長方形構造であり、名刺を固定する際、通常は長辺を記録用紙上において横向きに置き、短辺を縦向きに置き、ここの切り込みは名義上、名刺の長辺と短辺との記録ページ上における投影が交わる切込みである。切り込みの設置は構造が簡単なばかりではなく、製作コストが極めて低く、記載にも影響しない。明らかなように、一つのページ上に、スリットの設置は構造が簡単なだけでなく、製作コストもきわめて低く、記載に影響しなく、明らかなように、一つのページ上には、複数の同じタイプの名刺固定構造があっても、全体の外観に対して顕著な影響がなく、且つこれにより任意の名刺差込口４を選択することができる。
【００３５】
さらに、以下において言及する、記録ノート全体の平坦さの問題を回避するための技術手段は、斜め切込みを使用する技術案に対する影響は大きくなく、記録用紙に優れた一致性を具備させる特徴を有し、全体の製作コストが低い。
【００３６】
特に事後の整理に係る場合、斜め切り込みの上記構造に基づいて、名刺固定位置が選択できるとの特徴は、さらに顕著なメリットを有する。
【００３７】
比較的好ましい実施例中において、上記名刺固定構造は、記録用紙上に形成される、名刺の上下の縁を位置固定し且つ挟持するための舌片である。この構造は斜め切り込みと同じメリットを有し、比較した場合、製作の難しさは比較的大きい。
【００３８】
舌片は単独でも存在することもでき、記録用紙上に粘着される。比較的好ましい実施例において、舌片は直接記録用紙上に成型され、即ち上記舌片の、記録用紙上における曲線の切り込みに制限される記録用紙部分によって形成される。
【００３９】
曲線切り込みは好ましくは半円弧状切り込みであり、構造は簡単であり、断裂しにくい。
【００４０】
他の比較的好ましい実施例中において、図１に示すように、上記名刺固定構造は名刺差込ホルダー３であり、この構造は名刺の迅速な差込に便利である。以前の二つの実施例と比較した場合、その製作工程は非常に複雑である。まずは紙−紙の接合により、名刺差込ホルダー３の構造を形成し、もう一つはプラスチックフィルムと紙の接合によって形成され、工程はより複雑である。このような構造特徴に基づいて、一つの記録エリアは、一つの名刺固定構造を設けるのが最も好ましい。
【００４１】
名刺固定構造の数について、前記したように、さらには、一部の実施例中において、それぞれの記録用紙の正面に、一対の名刺差込口４を有し、比較した場合、ここに応用されるのは紙サイズの比較的小さい記録用紙である。当然のように、異なる考え方に基づいて、片面または両面の適用対象を選択できる。
【００４２】
以上に記載のように、幾つかの応用において、片面に二つ以上の記録エリアがあるため、ここでは使用を推奨しない。
【００４３】
使用において、名刺を差し込むことによって、避けられずに局部の厚さが増し、記録ノートの美観性と携帯可能性に影響する。このため、比較的実施例に基づいて、互いに隣接する記録用紙上の名刺は、位置がずれるように差し込むべきであり、これにより名刺を全部収録した後でも、記録ノート全体の厚さは比較的に均一である。
【００４４】
以下のように理解すべきである。ここで言う位置がずれるとは、前記の上から下、または左から右に一定の距離をずらすとの選択肢を含む。
【００４５】
好ましくは、ずれるように設置する位置には、四つの位置が含まれ、それぞれページの四角である。同時に注意すべきは、名刺固定構造の選択の多様性については、上記の内容は言及しているが、異なる応用に対応して、当業者は本文記載の内容に基づいて、位置がずれる形を容易に選択できる。
【００４６】
記録用紙の綴じ合わせにおいて、常軌の綴じ合わせ方式により綴じることができ、好ましくは、上記記録用紙はルーズリーフであり、または全体の記録ノートでスパイラルノートの形を採用し、これにより事後のリファイリング整理を便利にする。例えばルーズリーフは、迅速に取り外しが可能で、それから選定したページに対し新たに綴じ込みを行うことができる。
【産業上の利用可能性】
【００４７】
本発明は名刺帳と記録ノートの機能を併せ持つ記録ノートに係る。
【符号の説明】
【００４８】
１ バインダーホール
２  記録エリア
３  名刺差込ホルダー
４  名刺差込口
【図１】
0003184907.tif 000003
【図２】
0003184907.tif 000004